(57)【要約】      （修正有）【課題】鋸刃板の先端上縁部に丸みを持たせる替刃鋸において、鋸刃板先端部分の強度が向上する背金を提供する。【解決手段】断面倒Ｕ字状に折曲した背金２によって薄い鋸刃板１の上縁部を保持し、背金２及び鋸刃板１を把持柄３に着脱自在に装着する替刃鋸において、鋸刃板１は、その先端上縁部に丸みを持たせた形状とする。鋸刃板１を保持する背金２の先端部分は、鋸刃板の丸みの基端に対応する位置よりも先方部分の上縁折り返し部分を切除し、この切除部分よりも先方の、側板2a，2bの上縁形状を鋸刃板１の上縁先端部の丸み形状と一致する形状に形成する。側板2a，2bによって、鋸刃板１の先端部分は、より先方部分まで補強されるため、薄い鋸刃板をしっかりと保持する。【選択図】  図１
2007331131.tif 000002
【特許請求の範囲】
【請求項１】
断面倒Ｕ字状に折曲した背金によって薄い鋸刃板の上縁部を保持し、背金及び鋸刃板を把持柄に着脱自在に装着する替刃鋸において、先端上縁部に丸みを持たせて形成した鋸刃板を保持する背金の先端部分の形状を、鋸刃板の丸みの基端に対応する位置よりも先方部分の上縁折り返し部分を切除し、該上縁折り返し部分を切除した先端部分の上縁を、鋸刃板の上縁先端部の丸み形状に形成したことを特徴とする替刃鋸用背金。
【発明の詳細な説明】
【技術分野】
【０００１】
この発明は、薄い鋸刃板の上縁部を保持する、断面倒Ｕ字状に折曲した背金の構造に関する発明である。
【背景技術】
【０００２】
手挽き鋸には、鋸刃板の両側縁に鋸歯を形成する両刃鋸と、片側にのみ鋸歯を形成する各種の片刃鋸がある。また、鋸刃板の損傷などに対処するために、鋸刃板を取り替えることができる、替刃式の手挽鋸も広く利用されている。替刃鋸の構造として、特許文献１や２が知られている。特許文献１や２に開示されている替刃鋸は、鋸刃板の上縁部を断面倒Ｕ字状の背金で保持し、カム機構やネジ構造によって鋸刃板の上端縁を背金に押圧して鋸刃板を安定させるものである。すなわち、鋸刃板の上縁部は、断面略Ｕ字状の背金に保持され、背金の内面上端に押圧されることにより、背金の長手方向の全長にわたって鋸刃板の上端縁が密接して鋸刃板が安定するものである。
【特許文献１】実公平５−２０４８２
【特許文献２】実公平７−４２６４８
【発明の開示】
【発明が解決しようとする課題】
【０００３】
特許文献１や２に記載されている替刃鋸の背金は、基端部を鋸刃板とともに把持柄に固定するものであるが、先端は鋸刃板の長手方向の基端部に止まり、先端付近に達するものではない。また、従来技術として図８に例示する替刃鋸は、鋸刃板Ａの上縁部を背金Ｂで保持し、鋸刃板Ａと背金Ｂの基端部を把持柄Ｃに固定している。鋸刃板Ａと背金Ｂを把持柄Ｃに固定するには、把持柄Ｃに設けた押し上げネジＤによって鋸刃板Ａの中子部分において鋸刃板を押し上げ背金Ｂに押圧固定している。この構造は、引用文献１や２に記載された構造と共通するものである。図８に示す従来例の替刃鋸では、背金Ｂが鋸刃板Ａの先端近くまで延長されているが、鋸刃板の先端にまで達するものではない。
鋸刃板自体の強度が大きく腰のあるものでは、特許文献１や２に開示される形式の背金を利用するが、薄い鋸刃板を使用するものでは、鋸刃板を補強する意味から、鋸刃板の先端付近にまで延長した背金を使用する。しかしながら、汎用の鋸では背金が鋸刃板の先端から突出してしまうと、突出部分が邪魔になるため、背金の先端は、鋸刃板の先端から突出しないものとしている。
【０００４】
また、汎用の替刃鋸として、本出願人等は従来技術として図８に例示するように、鋸刃板Ａの先端上縁部分に丸みを持たせ、下端部に向けて斜め前方に傾斜させた鋸刃板Ａの形状を採用している。このような替刃鋸は、先端部分を被切断物への切り込みに利用するなど、機能的に使い勝手がよいとともに、薄い鋸刃板を採用するため切れ味が良いとともに安価に提供することができる。
【０００５】
しかしながら、鋸刃板の、先端上縁部分の丸み基端部よりも先方には背金が存在しないため、切断作業中に鋸刃板に作用する力によって鋸刃板が左右に曲がり易く、ときには鋸刃板に損傷を生じる欠点があった。鋸刃板の先端上縁部分の丸み基端部よりも先方に背金を延長すると、鋸刃板より突出することになり、湾曲する鋸刃板の上縁に沿って背金を存在させるためには、断面倒Ｕ字状の背金を鋸刃板の形状に沿って湾曲させる必要があり、加工が極めて困難であって事実上実施できない。
【０００６】
上記、従来技術の欠点に鑑み、本発明は薄い鋸刃板を使用するものであって、鋸刃板の先端上縁部に丸みを持たせる替刃鋸において、鋸刃板先端部分の強度が向上するとともに鋸刃板の腰を強化し、使い勝手のよい替刃鋸を実現できる、背金を提供することを目的とするものである。
【課題を解決するための手段】
【０００７】
上記目的を達成するため、本発明は、断面倒Ｕ字状に折曲した背金２によって薄い鋸刃板１の上縁部を保持し、背金２及び鋸刃板１を把持柄３に着脱自在に装着する替刃鋸の背金形状を工夫する。すなわち、先端上縁部に丸みを持たせて形成した鋸刃板１を保持する背金２の先端部分の形状を、鋸刃板１の丸みの基端に対応する位置よりも先方部分の上縁折り返し部分を切除し、この切除部分よりも先方の背金、すなわち左右の側板2a，2bの上縁を、鋸刃板１の上縁先端部の丸みと一致する形状に形成する。
【発明の効果】
【０００８】
請求項１記載の本発明替え刃鋸によれば、鋸刃板１の先端上縁部に形成した丸みの、基端部より前方部分に、背金２の左右両側板2a，2bが延長され、該部分において鋸刃板１の左右の曲がりや振れを防止する。そのため、鋸刃板１の先端部分の強度が向上し、押し、引きの切断作業を円滑に行なうことができる。背金２の先端部分は、倒Ｕ字状の折り返し部分を切除しているため、鋸刃板１の先端上縁部の丸みに合わせて容易に加工することができ、鋸刃板１から前方に背金２が突出しないため、切断作業の邪魔になることもなく、使い勝手良い薄い鋸刃板の替刃鋸を実現することができる。
【発明を実施するための最良の形態】
【０００９】
以下、本発明に係る替刃鋸用背金の実施形態を、添付の図面に基づいて説明する。
図１は本発明に係る背金を装着した、替刃鋸の正面図、図２は、替刃鋸の先端部分のみの平面図であって、(ａ)は本発明の背金を使用した替刃鋸、(ｂ)は従来の背金を使用した替刃鋸を示している。
【００１０】
本発明を適用する替刃鋸は、図１や図３から理解されるように、薄い鋸刃板１の上縁部を断面倒Ｕ字状の背金２で保持し、把持柄３に着脱自在に固定し、手挽き鋸として使用する。鋸刃板１及び背金２を把持柄３に固定するには、把持柄３に形成した取付孔４に、鋸刃板１の中子1a部分を抱持させた断面倒Ｕ字状の背金２の基端部を挿入し、把持柄３に備えた押し上げネジ５によって鋸刃板１のみを上方に押し上げることによって、鋸刃板１の上縁を背金２の上端内面に押圧することによってしっかりと固定している。
【００１１】
背金２の先方は、鋸刃板１の先端部分にまで延長されているが、背金２の先端部分の形状は、先端上縁部が丸くアール状に形成されている鋸刃板１の形状に一致させている。すなわち、断面倒Ｕ字状に折曲した背金２の先端部分は、鋸刃板１の丸みの基端に対応する位置よりも先方部分の上縁折り返し部分を切除し、側板2a，2bのみを先方に延長し、かつ延長した側板2a，2bの上縁を鋸刃板１の先端上縁部の丸みと一致させている。
【００１２】
上記構成とすることによって、図２の(ａ)に示すように、鋸刃板１の先端部において左右の側板2a，2bによって鋸刃板１の側面の一部が挟まれた状態となる。図２の(ｂ)は、  図８に示す従来の替刃鋸の先端部平面図である。
替刃鋸の使用に際し、押し、引きの動作によって鋸刃板１の先端部分に力が加わる。鋸刃板に加わる力が、厳密に鋸刃板の長手方向と一致するものであるときは、鋸刃板に対して圧縮、引っ張りの力として作用するが、薄い鋸刃板の方向と厳密に一致させることは困難であるため、現実には何らかの横方向の力が加わる。
【００１３】
鋸刃板１の先端部分に横方向の力が作用した場合、背金２の左右の側板2a，2bが存在するため、この部分における横方向の振れが防止され、図２の(ａ)に点線示すように僅かに振れる可能性があるだけで安定して切断作業を行なうことができる。一方、図２の(ｂ)に示す従来の替刃鋸では、左右の側板2a，2bによる補強がないため、鋸刃板が大きく振れて切断作業に支障を来たすとともに、薄い鋸刃板１そのものが折曲されるなどの支障を生じる可能性がある。
【００１４】
背金２の機能は、図３に示すようにＵ字状に折曲させた折り返し部分、すなわち上端内面に鋸刃板１の上端縁を押圧させて長手方向に安定させることと、左右の側板2a，2bによって面方向に安定良く保持することであるが、背金の折り返し部分による機能は、必ずしも鋸刃板１の長手方向の全長である必要はない。一方、左右の側板2a，2bによる鋸刃板１の安定機能は、できるだけ鋸刃版１の全長であることが好ましく、本発明によれば、背金の先端部分において図４に示すように、左右の側板2a，2bによって鋸刃板１を、より安定的に保持し、しっかりと腰の強い状態で使用することができるものである。
【００１５】
図５に示すように、背金２の先端部分において上縁折り返し部分を切除する形状であるが、この背金２を製造するには、図６に示すように予め先端部分の切除部分６を設けた展開状態で金属板を打ち抜き加工し、二点鎖線で示す折り曲げ線７に沿って折曲加工することによって、比較的容易に製造することができる。
【図面の簡単な説明】
【００１６】
【図１】図１は、本発明に係る背金を装着した、替刃鋸の正面図、
【図２】図２は、替刃鋸の先端部分のみの平面図であって、(ａ)は本発明の背金を使用した替刃鋸、(ｂ)は従来の背金を使用した替刃鋸を示す、
【図３】図３は、図１のIII−III線断面図、
【図４】図４は、図１のIV−IV線断面図、
【図５】図５は、背金のみの斜視図、
【図６】図６は、背金の展開図、
【図７】図７は、替刃鋸の把持柄と鋸刃板の取付部分の拡大断面図、
【図８】図８は、従来の替刃鋸の一例を示す正面図である。
【符号の説明】
【００１７】
１…鋸刃板、  1a…中子、  ２…背金、  2a，2b…側板、  ３…把持柄、  ４…取付孔、  ５…押し上げネジ、  ６…切除部分、  ７…折り曲げ線。
【図１】
2007331131.tif 000003
【図２】
2007331131.tif 000004
【図３】
2007331131.tif 000005
【図４】
2007331131.tif 000006
【図５】
2007331131.tif 000007
【図６】
2007331131.tif 000008
【図７】
2007331131.tif 000009
【図８】
2007331131.tif 000010